(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、壁面に固定される２つ以上のブラケット１０４、１０６と、ブラケットに着脱可能に取り付けられる棚板１０８とを有し、ブラケットには、角度の異なる複数のレール１４６、１５２が設けられていて、棚板には、ブラケットのレールに嵌合する脚部１２４が設けられていることを特徴とする。【選択図】図２
2018121840.tif 000002
【特許請求の範囲】
【請求項１】
壁面に取り付けられる棚であって、
壁面に固定される２つ以上のブラケットと、
前記ブラケットに着脱可能に取り付けられる棚板とを有し、
前記ブラケットには、角度の異なる複数のレールが設けられていて、
前記棚板には、前記ブラケットの前記レールに嵌合する脚部が設けられていることを特徴とする棚。
【請求項２】
前記脚部は、前記棚板の下面の下方に位置し、前記レールに嵌合する長尺状の平板であって、
前記レールの１つは、水平に近い角度であり、
前記レールの１つは、壁から離れる方向である手前側に向かって上方に大きく傾斜していることを特徴とする請求項１に記載の棚。
【請求項３】
前記棚板の壁側かつ脚部側に、転落防止用の保持部材が設けられていることを特徴とする請求項１または２に記載の棚。
【請求項４】
前記脚部の壁側の端部は、前記棚板の壁側の端よりも壁側に突出している請求項１から３のいずれか１項に記載の棚。
【請求項５】
前記ブラケットの前記レールの壁側の端には、前記脚部の壁側の端部と係合する係合凹部が設けられていることを特徴とする請求項４に記載の棚。
【請求項６】
前記脚部の手前側の端部近傍には、前記ブラケットと係合する規制突部が設けられていることを特徴とする請求項４または５に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、壁面に固定される２つ以上のブラケットと、ブラケットに着脱可能に取り付けられる棚板とを有し、ブラケットには、角度の異なる複数のレールが設けられていて、棚板には、ブラケットのレールに嵌合する脚部が設けられていることを特徴とする。
【０００８】
上記構成によれば、壁面に固定されたブラケットは、角度の異なる複数のレールを有している。一方、棚板は、ブラケットのレールに脚部を嵌合することで、ブラケットに着脱可能に取り付けられる。したがって、棚板の脚部を嵌合するレールを異ならせるだけで、壁面に対する棚板の角度を容易に切り替えることができ、利便性を向上できる。また、機械的な角度調整機構がないため、簡潔な外観で高い美観を備えることができる。
【０００９】
上記の脚部は、棚板の下面の下方に位置し、レールに嵌合する長尺状の平板であって、レールの１つは、水平に近い角度であり、レールの１つは、壁から離れる方向である手前側に向かって上方に大きく傾斜しているとよい。
【００１０】
このように、棚板に対して脚部が傾斜していないため、レールに脚部を嵌合するだけで、棚板は、レールと同じ角度で手前側に向かってブラケットに支持可能となる。したがって、水平に近い角度のレールに嵌合すればほぼ水平となり、大きく傾斜したレールに嵌合すれば棚板も大きな傾斜角で支持される。なお、「水平に近い角度」とは、ほぼ水平であるが、水切りのために壁側に向かって若干下がる角度である。
【００１１】
上記の棚板の壁側かつ脚部側に、転落防止用の保持部材が設けられているとよい。これにより、棚板が手前側に向かって上方に傾斜するように支持されている場合、保持部材は、各種物品の底を受けることができる。また棚板がブラケットにほぼ水平に支持されている場合、保持部材は棚板の下側に配置されるため、保持部材にフック等をかけて任意の物品を吊下げ収納することができる。
【００１２】
上記の脚部の壁側の端部は、棚板の壁側の端よりも壁側に突出しているとよい。このように、脚部の壁側の端部は、棚板の壁側の端よりも壁側に突出しているので、レールに嵌合する際、視認され易い。よって、脚部の壁側の端部を目印にすることで、ブラケットに棚板を容易に取り付けることができる。
【００１３】
上記のブラケットのレールの壁側の端には、脚部の壁側の端部と係合する係合凹部が設けられているとよい。これにより、ブラケットに棚板を取り付ける際、脚部の壁側の端部をブラケットの係合凹部まで挿入することで、脚部の壁側の端部と係合凹部とが係合し、ブラケットに棚板を安定して取り付けることができる。
【００１４】
上記の脚部の手前側の端部近傍には、ブラケットと係合する規制突部が設けられているとよい。これにより、棚板をほぼ水平に支持した場合にも、棚板がブラケットから脱落することを防止することができる。
【発明の効果】
【００１５】
本発明によれば、壁面に対する棚板の角度を容易に切り替えることができ、利便性を向上できると共に、簡潔な外観で美観を向上させた棚を提供することができる。
【図面の簡単な説明】
【００１６】
【図１】本発明の実施形態における棚を示す図である。
【図２】棚の分解斜視図である。
【図３】ブラケットを拡大して示す図である。
【図４】壁固定部材を拡大して示す図である。
【図５】サイドキャップを拡大して示す図である。
【図６】棚が組み立てられる様子を示す図である。
【図７】図１の棚とは棚板の置き方を変えたスタイルの棚が組み立てられる様子を示す図である。
【図８】本発明の他の実施形態における棚を示す図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本発明の実施形態における棚１００を示す図である。図２は棚１００の分解斜視図である。図１に示す棚１００は、例えば浴室の壁面１０２などに取付けられ、各種物品を収納あるいは陳列するために用いられる。棚１００は、図２（ａ）に示すように、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００１９】
また棚１００が取付けられる壁面１０２には、ブラケット１０４、１０６を取付け可能であって、同一の構造を有する２つの壁固定部材１１０が固定されている。つまりブラケット１０４、１０６は、壁固定部材１１０を介して図１に示す壁面１０２に取り付けられる。なおブラケット１０４、１０６は、左右対称の構造を有していて機能等が同様であるので、以下ではブラケット１０６の説明を適宜省略する。
【００２０】
棚板１０８は、図１、図２（ａ）に示すように、その側端１１２、１１４に沿って左右一対の２つのサイドキャップ１１６、１１８が取付けられている。また棚板１０８の上面１２０のうち、壁面１０２から離れる方向である手前側には、側端１１２、１１４同士をつなぐ縁部１２２が形成されている。縁部１２２は、棚板１０８の上面１２０から上方に突出していて、棚板１０８に収納あるいは陳列された各種物品が手前側から転落することを防止する。
【００２１】
サイドキャップ１１６、１１８には、図２（ａ）、図２（ｂ）に示すように、同一の構造を有する脚部１２４がそれぞれ設けられている。脚部１２４は、図２（ａ）、図２（ｂ）に示すように棚板１０８の下面１２６の下方に位置し、下面１２６に対して平行な平板である。
【００２２】
脚部１２４の壁側の端部１２８は、図２（ａ）に示すように、棚板１０８の壁側の端１３０よりも壁側に突出している。このため、脚部１２４の壁側の端部１２８は、ブラケット１０４に棚板１０８を取り付ける際、視認され易く、その上面には目印１３２（図５参照）が施されている。一方、脚部１２４の手前側の端部近傍には、図２（ａ）、図２（ｂ）に示すように、下方に向かって突出した規制凸部１３４が設けられている。規制凸部１３４は、ブラケット１０４と係合することで脚部１２４が手前側に移動することを規制する（図６（ｂ）参照）。
【００２３】
また棚板１０８には、サイドキャップ１１６、１１８を介して各種物品の転落防止用の保持部材であるパイプ１３６が取付けられている。サイドキャップ１１６、１１８は、図２（ａ）、図２（ｂ）に示すように、下方に向かって立設していて、パイプ１３６を支持する柱状部材１３８、１４０を有する。パイプ１３６は、柱状部材１３８、１４０に支持されることで、棚板１０８の壁側かつ脚部１２４側に位置している。
【００２４】
図３はブラケット１０４を拡大して示す図である。ブラケット１０４には、図３（ａ）に示すように、角度の異なる複数（ここでは、２つ）のレール１４６、１５２が設けられている。
【００２５】
レール１４６はブラケット１０４の上面を形成するリブである。レール１４６の角度は、水平に近い角度である。なお水平に近い角度とは、ほぼ水平であるが、水切りのために壁側に向かって若干下がる角度である。
【００２６】
レール１５２は、ブラケット１０４の下面から連続し手前側に向かって上方に大きく傾斜したリブである。ブラケット１０４の下面には、水平に近い角度のリブ１５０が形成されている。
【００２７】
ブラケット１０４の壁側に形成されたリブ１４８は、上下方向に延びていて、壁固定部材１１０に取付けられる取付面１５４を形成している。取付面１５４には、図３（ｃ）に示すように、下方が開放された切欠部１５６が形成されている。切欠部１５６は、壁固定部材１１０の溝部１５８（図４（ｂ）参照）に嵌合可能である。
【００２８】
またブラケット１０４のレール１４６の壁側の端には、レール１４６とリブ１４８で区画された係合凹部１６２が設けられている。係合凹部１６２は、脚部１２４の壁側の端部１２８と係合する（図６（ｂ）参照）。
【００２９】
ブラケット１０４には、図３（ａ）、図３（ｂ）に示すように、レール１４６、１５２の手前側の端１６４、１６６同士が互いに離間することによって、挿入部１６８が設けられている。脚部１２４は、壁側の端部１２８が挿入部１６８を通過した後、レール１４６、１５２のいずれかに嵌合される（後述）。
【００３０】
図４は壁固定部材１１０を拡大して示す図である。壁固定部材１１０は、図４（ａ）に示すように、壁面１０２に接する土台部１７０と、土台部１７０の手前側に配置された固定部１７２と、土台部１７０と固定部１７２との間に形成された溝部１５８とを有する。
【００３１】
固定部１７２は、その内部に穴１７４、１７６が設けられている。壁固定部材１１０は、不図示のネジなどを穴１７４、１７６に挿通して壁面１０２に固定される。また固定部１７２には、図４（ａ）に示すキャップ１７８が手前側から被せられることで、その内部が視認されず、美観が損なわれない。
【００３２】
図４（ｂ）に示す壁固定部材１１０の溝部１５８は、テーパー状となっている。溝部１５８にブラケット１０４の切欠部１５６を上方から下方にスライドして係合させることにより、がたつきを防止できる。このようにして、ブラケット１０４は、壁固定部材１１０を介して壁面１０２に安定して固定される。
【００３３】
図５はサイドキャップ１１６を拡大して示す図である。なお以下では、サイドキャップ１１８については説明を適宜省略するが、サイドキャップ１１６と左右対称の構造を有していて機能等も同様である。
【００３４】
サイドキャップ１１６は、棚板１０８の側端１１２に接する側板１８０と、棚板１０８の下面１２６を支持する支持部１８２と、上記のパイプ１３６を支持する柱状部材１３８とを有する。またサイドキャップ１１６には、支持部１７８の下方に、上記の平板である脚部１２４が設けられている。脚部１２４の壁側の端部１２８には、その上面に目印１３２が施されている。
【００３５】
図６は棚１００が組み立てられる様子を示す図である。まず、図６（ａ）に示すように、サイドキャップ１１６に設けられた脚部１２４の壁側の端部１２８を、ブラケット１０４のレール１４６に対して位置合わせする。位置合わせの際、脚部１２４の角度は、図６（ａ）に示すように、ブラケット１０４のレール１４６の角度に合わせて水平に近い角度とする。なおブラケット１０４は、図示のように、壁固定部材１１０を介して壁面１０２に固定されている。
【００３６】
つぎに、脚部１２４の壁側の端部１２８をブラケット１０４の挿入部１６８に挿入し、さらに図６（ｂ）に示すように、ブラケット１０４の係合凹部１６２まで挿入する。これにより、脚部１２４の壁側の端部１２８は、レール１４６の係合凹部１６２に係合する。このとき、ブラケット１０４では、脚部１２４とサイドキャップ１１６の支持部１８２とでレール１４６が挟み込まれた状態となる。さらに、脚部１２４の手前側の端部近傍にある規制凸部１３４がレール１５２の手前側の端１６６に係合する。
【００３７】
したがって棚１００では、図６（ｂ）に示すように棚板１０８をほぼ水平に支持可能となり、この場合に棚板１０８がブラケット１０４から脱落することを防止でき、ブラケット１０４に棚板１０８を安定して取り付けることができる。このため、棚１００では、棚板１０８に各種物品を安定して収納あるいは陳列できる（以下、フラットスタイルと称する）。
【００３８】
また棚１００では、脚部１２４の壁側の端部１２８が棚板１２４の壁側の端１３０よりも壁側に突出しているので、挿入部１６８に挿入しやすい。端部１２８に目印１３２が施されていることで、使用者が「ここを挿入するのだ」ということを理解しやすい。これらのことから、ブラケット１０４に棚板１０８を容易に取り付けることができる。
【００３９】
また棚１００では、棚板１０８を水平に支持した状態でパイプ１３６が棚板１０８の下側に配置されるので、パイプ１３６にフック等をかけて、各種物品を吊り下げることができ、利便性を高めることができる。
【００４０】
図７は、図１の棚１００とは棚板１０８の置き方を変えたスタイルの棚１００Ａが組み立てられる様子を示す図である。棚１００Ａでは、棚板１０８を左右反転させた状態でブラケット１０４、１０６に取り付ける。図６ではサイドキャップ１１４が図示されていたところ、図７では反対側のサイドキャップ１１８が図示されている。そして、ブラケット１０４のほぼ水平のレール１４６に代えて、傾斜したレール１５２に脚部１２４を嵌合して、ブラケット１０４に棚板１０８を取り付けている。
【００４１】
棚１００Ａを組み立てる場合、まず、図７（ａ）に示すように、サイドキャップ１１８に設けられた脚部１２４の壁側の端部１２８を、ブラケット１０４のレール１５２に対して位置合わせする。位置合わせの際、脚部１２４の角度は、図７（ａ）に示すように、ブラケット１０４のレール１５２の角度に合わせて手前側に向かって上方に大きく傾斜している角度とする。
【００４２】
つぎに、脚部１２４の壁側の端部１２８をブラケット１０４の挿入部１６８に挿入し、さらに図７（ｂ）に示すように、レール１５２に嵌合する。このとき、ブラケット１０４では、脚部１２４とサイドキャップ１１８の支持部１８２とでレール１５２が挟み込まれる。
【００４３】
したがって棚１００Ａでは、図７（ｂ）に示すように棚板１０８を手前側に向かって上方に傾斜するように支持可能となり、この場合にブラケット１０４に棚板１０８を安定して取り付けることができる。
【００４４】
また棚１００Ａでは、パイプ１３６が棚板１０８の上側にある。パイプ１３６が各種物品１８４の底１８６を受けることができるため、各種物品１８４を収納するだけでなく水切りを行うことができる（以下、水切りスタイルと称する）。
【００４５】
図８は、本発明の他の実施形態における棚２００を示す図である。なお図中では、棚２００を図６に示す棚１００に対応させ、フラットスタイルの棚２００が組み立てられる様子を示している。
【００４６】
棚２００は、脚部１２４の壁側の端部１２８に下方に向かって突出した規制凸部２０２が設けられている点、ブラケット１０４に係合凹部１６２に加え、下方に凹んだ規制凹部２０４が設けられている点で、上記の棚１００と異なる。
【００４７】
まず図８（ａ）に示すように、棚２００では、脚部１２４の壁側の端部１２８を、ブラケット１０４のレール１４６に対して位置合わせし、その後、脚部１２４の壁側の端部１２８をブラケット１０４の挿入部１６８に挿入する。
【００４８】
つぎに図８（ｂ）に示すように、棚２００では、脚部１２４の壁側の端部１２８を、ブラケット１０４の係合凹部１６２まで挿入する。これにより、脚部１２４の壁側の端部１２８は、ブラケット１０４の係合凹部１６２に係合する。
【００４９】
このとき、ブラケット１０４では、脚部１２４とサイドキャップ１１６の支持部１８２とでレール１４６が挟み込まれた状態となる。また、脚部１２４の手前側の端部近傍にある規制凸部１３４は、レール１５２の手前側の端１６６に係合する。さらに、脚部１２４の壁側の端部１２８の規制凸部２０２は、ブラケット１０４の規制凹部２０４に係合する。
【００５０】
したがって棚２００では、図８（ｂ）に示すように棚板１０８をほぼ水平に支持可能となり、この場合に棚板１０８がブラケット１０４から脱落することを防止でき、ブラケット１０４に棚板１０８を安定して取り付けることができる。さらに棚２００では、規制凸部２０２と規制凹部２０４とが係合してロック機構として機能するため、棚板１０８がブラケット１０４から脱落することをより確実に防止できる。
【００５１】
このように各実施形態では、ブラケット１０４、１０６に角度の異なる複数のレール１４６、１５２が設けられていて、これらのレール１４６、１５２に嵌合可能な脚部１２４がサイドキャップ１１６、１１８に設けられている。したがって、各実施形態によれば、脚部１２４を嵌合するレール１４６、１５２を異ならせるだけで、壁面１０２に対する棚板１０８の角度を容易に切り替えることができ、利便性を向上できる。例えば脚部１２４をほぼ水平なレール１４６に嵌合すると、フラットスタイルの棚１００、２００を得ることができる。脚部１２４を斜めのレール１５２に嵌合すると、水切りスタイルの棚１００Ａを得ることができる。さらに、機械的な角度調整機構がないため、簡潔な外観で高い美観を備えた棚１００、１００Ａ、２００を得ることができる。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５３】
本発明は、壁面に取り付けられる棚に利用することができる。
【符号の説明】
【００５４】
１００、１００Ａ、２００…棚、１０２…壁面、１０４、１０６…ブラケット、１０８…棚板、１１０…壁固定部材、１１２、１１４…棚板の側端、１１６、１１８…サイドキャップ、１２０…棚板の上面、１２２…棚板の縁部、１２４…脚部、１２６…棚板の下面、１２８…脚部の壁側の端部、１３０…棚板の壁側の端、１３２…目印、１３４、２０２…規制凸部、１３６…パイプ、１３８、１４０…柱状部材、１４６、１５２…レール、１４８、１５０…リブ、１５４…取付面、１５６…切欠部、１５８…溝部、１６２…係合凹部、１６４、１６６…リブの手前側の端、１６８…挿入部、１７０…土台部、１７２…固定部、１７４、１７６…穴、１７８…キャップ、１８０…側板、１８２…支持部、１８４…各種物品、１８６…各種物品の底、２０４…規制凹部
【図１】
2018121840.tif 000003
【図２】
2018121840.tif 000004
【図３】
2018121840.tif 000005
【図４】
2018121840.tif 000006
【図５】
2018121840.tif 000007
【図６】
2018121840.tif 000008
【図７】
2018121840.tif 000009
【図８】
2018121840.tif 000010